(57)【要約】【課題】ＲＣＳが大きく、且つ放射角度による放射強度の変化が小さい反射装置を提供する。【解決手段】到来波を反射する反射装置であって、ｎ（ｎは３以上の整数）個のリフレクタを備え、ｎ個のリフレクタのそれぞれに対してリフレクタの位置に関する所定の基準点が設けられ、且つｎ個の基準点の配置が直線上であり、且つｎ個の基準点の間隔が素数又は乱数に基づく値である。【選択図】図７
2010181213.tif 000002
【特許請求の範囲】
【請求項１】
到来波を反射する反射装置であって、
ｎ（ｎは３以上の整数）個のリフレクタを備え、
前記ｎ個のリフレクタのそれぞれに対してリフレクタの位置に関する所定の基準点が設けられ、且つｎ個の前記基準点の配置が直線上であり、且つｎ個の前記基準点の間隔が素数又は乱数に基づいた値である
反射装置。
【請求項２】
前記ｎ個のリフレクタのうち特定リフレクタの基準点は、所定位置に設けられ、
前記所定位置と前記特定リフレクタ以外のリフレクタの基準点との距離のそれぞれは、前記所定距離とそれぞれ異なる素数とを乗じた値である、
請求項１に記載の反射装置。
【請求項３】
互いに隣接する前記リフレクタ間の距離のそれぞれは、所定距離とそれぞれ異なる素数とを乗じた値である、
請求項１に記載の反射装置。
【請求項４】
前記ｎ個のリフレクタの基準点の位置のそれぞれは、ｎ個の乱数値のそれぞれに対応する、
請求項１に記載の反射装置。
【請求項５】
前記リフレクタの大きさは、互いに隣接する前記リフレクタ同士が重ならない大きさである、
請求項１乃至請求項４のいずれかに記載の反射装置。
【発明の詳細な説明】
【技術分野】
【０００１】
本発明は、到来波を反射する反射装置に関するものである。
【背景技術】
【０００２】
レーダ反射体として、ＲＣＳ（Radar cross section：レーダ反射断面積）を大きくするために、三面体コーナリフレクタを複数個配置したコーナリフレクタアレイがある（例えば、特許文献１参照）。
【先行技術文献】
【特許文献】
【０００３】
【特許文献１】特開２００７−３１２２１９号公報
【発明の概要】
【発明が解決しようとする課題】
【０００４】
しかしながら、従来の三面体コーナリフレクタ素子を複数個配置したレーダ反射体の場合、各素子が均等な間隔で並べられている。そのため、反射波において、各素子からの寄与が重なり合うことで、不要なビームであるグレーティングローブや受信不可能となるヌル点が発生する。つまり、到来波の入射角度（又は反射波の放射角度）によって、受信感度の強弱が出現してしまう。
【０００５】
本発明は上述した問題点を解決するためになされたものであり、ＲＣＳが大きく、且つ放射角度による放射強度の変化が小さい反射装置を提供することを目的とする。
【課題を解決するための手段】
【０００６】
上述した課題を解決するため、本発明の一態様は、到来波を反射する反射装置であって、ｎ（ｎは３以上の整数）個のリフレクタを備え、ｎ個のリフレクタのそれぞれに対してリフレクタの位置に関する所定の基準点が設けられ、且つｎ個の基準点の配置が直線上であり、且つｎ個の基準点の間隔が素数又は乱数に基づく値である。
【発明の効果】
【０００７】
開示の反射装置によれば、ＲＣＳが大きく、且つ放射角度による放射強度の変化が小さい反射装置を実現することができる。
【図面の簡単な説明】
【０００８】
【図１】１個の点リフレクタを有するレーダ反射体からの反射波の波面の一例を示す図である。
【図２】１個の点リフレクタを有するレーダ反射体の放射パターンの一例を示す図である。
【図３】間隔λの２個の点リフレクタを有するレーダ反射体からの反射波の波面の一例を示す図である。
【図４】間隔λの２個の点リフレクタを有するレーダ反射体の放射パターンの一例を示す図である。
【図５】間隔２λの２個の点リフレクタを有するレーダ反射体の放射パターンの一例を示す図である。
【図６】間隔３λの２個の点リフレクタを有するレーダ反射体の放射パターンの一例を示す図である。
【図７】実施の形態１のレーダ反射体の基本構成の一例を示す図である。
【図８】実施の形態１のレーダ反射体の放射パターンの一例を示す図である。
【図９】実施の形態２のレーダ反射体の基本構成の一例を示す図である。
【図１０】実施の形態２の三面体コーナリフレクタの構成の一例を示す図である。
【図１１】実施の形態３のレーダ反射体の放射パターンの一例を示す図である。
【図１２】実施の形態４のレーダ反射体の基本構成の一例を示す図である。
【発明を実施するための形態】
【０００９】
１個の点リフレクタを有するレーダ反射体について以下に説明する。
【００１０】
以後、波長λのＣＷ（Continuous Wave）がレーダ反射体に入射した場合のシミュレーション結果を示す。
【００１１】
図１は、１個の点リフレクタを有するレーダ反射体からの反射波の波面の一例を示す図である。この図は、点リフレクタＲ０を含む平面内のある時点における、反射波の極値の分布を示す。この図において、実線は極大値を示し、点線は極小値を示す。この場合、点リフレクタＲ０からの反射波の波面は、点リフレクタＲ０を中心とする同心円状に広がる。
【００１２】
図２は、１個の点リフレクタを有するレーダ反射体の放射パターン（平面内の指向性）の一例を示す図である。反射波の振幅は、全ての放射角度に亘って、一定である。
【００１３】
２個の点リフレクタを有するレーダ反射体について以下に説明する。
【００１４】
ここでは、２個の点リフレクタの間隔がレーダの波長λであるとする。図３は、間隔λの２個の点リフレクタを有するレーダ反射体からの反射波の波面の一例を示す図である。この図は、２個の点リフレクタＲ１，Ｒ２を含む平面内のある時点における、点リフレクタＲ１，Ｒ２のそれぞれからの反射波の極値の分布を示す。この図において、実線は極大値を示し、点線は極小値を示す。この図において、点Ｓ１，Ｓ２，Ｓ３は、後述の放射パターンの説明に用いられる。この場合、点リフレクタＲ１，Ｒ２からの反射波の波面は、点リフレクタＲ１，Ｒ２のそれぞれを中心とする同心円状に広がり、互いに干渉する。
【００１５】
図４は、間隔λの２個の点リフレクタを有するレーダ反射体の放射パターンの一例を示す図である。この図において、横軸は、レーダ反射体からの反射波の放射角度を示し、縦軸は、その反射波の振幅を示す。この図によれば、レーダ反射体の放射パターンにおいてグレーティングローブ及びヌル点が存在する。例えば、上述の点Ｓ１，Ｓ２，Ｓ３においては、各点リフレクタからの反射波は、干渉により強め合う。例えば、上述の点Ｓ１，Ｓ２の間の角度、点Ｓ１，Ｓ３の間の角度においては、各点リフレクタからの反射波は、干渉により弱め合う（ヌル点となる）。
【００１６】
図５は、間隔２λの２個の点リフレクタを有するレーダ反射体の放射パターンの一例を示す図である。図６は、間隔３λの２個の点リフレクタを有するレーダ反射体の放射パターンの一例を示す図である。この図において、横軸は、レーダ反射体からの反射波の放射角度を示し、縦軸は、その反射波の振幅の相対レベルを示す。２個の点リフレクタの間隔が変わっても、レーダ反射体の放射パターンにおいてグレーティングローブ及びヌル点が存在する。
【００１７】
上述したように、複数のリフレクタを有するレーダ反射体の放射パターンは、グレーティングローブ及びヌル点を有する。
【００１８】
グレーティングローブ及びヌル点を防止するために、素子間隔を半波長以下にしようとすると、製作が困難になる場合がある。例えば、ミリ波において半波長は数ｍｍになるため物理的に困難である。
【００１９】
以下、本発明の実施の形態について図面を参照しつつ説明する。
【００２０】
（実施の形態１）
図７は、実施の形態１のレーダ反射体の基本構成の一例を示す図である。本実施の形態のレーダ反射体は、ｎ個の三面体コーナリフレクタＡ０，Ａ１，Ａ２，・・・Ａｎ−１を有する。全ての三面体コーナリフレクタの形状及びサイズは、同一である。これらの各三面体コーナリフレクタは、三角錐の１面を開口とする三面体である。この開口は、正三角形である。
【００２１】
この図において、右方向をｘ軸方向とし、上方向をｙ軸方向とし、ｘｙ平面に垂直な手前方向をｚ軸方向とする。各三面体コーナリフレクタの開口は、ｚ軸方向を向く。三面体コーナリフレクタＡ０，Ａ１，Ａ２，・・・Ａｎ−１において、最も開口面から遠い頂点をそれぞれ基準点Ｅ０，Ｅ１，Ｅ２，・・・Ｅｎ−１とする。各三面体コーナリフレクタにおいて、基準点は、最もｚ座標が小さい点である。各三面体コーナリフレクタの基準点は、ｘ軸上に並べられる。
【００２２】
三面体コーナリフレクタＡ０を基準リフレクタとする。基準リフレクタの基準点を原点とする。各三面体コーナリフレクタＡ０，Ａ１，Ａ２，・・・Ａｎ−１の基準点ｘ座標は、０，Ｄ１，Ｄ２，・・・Ｄｎ−１で表される。
【００２３】
本実施の形態において、基準リフレクタ以外の各三面体コーナリフレクタの基準点ｘ座標は、基準距離Ｄにそれぞれ異なる素数を乗じた値である。ここで、Ｄを波長λとすると、各三面体コーナリフレクタの基準点ｘ座標は、次式で表される。
【００２４】
｛０，Ｄ１，Ｄ２，Ｄ３，・・・｝
＝｛０，２λ，３λ，５λ，・・・｝
【００２５】
図８は、実施の形態１のレーダ反射体の放射パターンの一例を示す図である。この図において、横軸は、レーダ反射体からの反射波の放射角度を示し、縦軸は、その反射波の振幅の相対レベルを示す。この図は、本実施の形態の基本構成と基準点ｘ座標の決定方法とに従って７個の三面体コーナリフレクタが設けられたレーダ反射体のシミュレーション結果である。上述の２個の点リフレクタを有するレーダ反射体の放射パターンと比較すると、実施の形態１のレーダ反射体の放射パターンは、振幅の低下が小さくなり、放射角度による反射波の振幅の差が小さい。更に、リフレクタの数を多くできることにより、レーダ反射体のＲＣＳを大きくすることができる。
【００２６】
なお、隣り合う２つの三面体コーナリフレクタの間の距離が、基準距離Ｄにそれぞれ異なる素数を乗じた値であっても良い。
【００２７】
（実施の形態２）
図９は、実施の形態２のレーダ反射体の基本構成の一例を示す図である。本実施の形態のレーダ反射体は、ｎ個の三面体コーナリフレクタＢ０，Ｂ１，Ｂ２，・・・Ｂｎ−１を有する。図１０は、実施の形態２の三面体コーナリフレクタの構成の一例を示す図である。ここでは、三面体コーナリフレクタＡ０とその内部の基準点Ｅ０と三面体コーナリフレクタＢ０とその内部の基準点Ｆ０とを示す。本実施の形態の三面体コーナリフレクタＢ０は、実施の形態１の三面体コーナリフレクタＡ０の開口部の三角形の３頂点Ｈ１，Ｈ２，Ｈ３からそれぞれ所定距離にある平面で切り、Ｈ１，Ｈ２，Ｈ３付近を除いた形状である。この図の三面体コーナリフレクタＢ０における点線は、元となる三面体コーナリフレクタＡ０形状を示す。三面体コーナリフレクタＢ０，Ｂ１，Ｂ２，・・・Ｂｎ−１の形状及びサイズは、同一である。
【００２８】
この図において、ｘ軸、ｙ軸、ｚ軸の定義は、実施の形態１と同様である。三面体コーナリフレクタＢ０，Ｂ１，Ｂ２，・・・Ｂｎ−１において、最も開口面から遠い頂点をそれぞれ基準点Ｆ０，Ｆ１，Ｆ２，・・・Ｆｎ−１とする。
【００２９】
三面体コーナリフレクタＢ０を基準リフレクタとする。実施の形態１と同様、各三面体コーナリフレクタＢ０，Ｂ１，Ｂ２，・・・Ｂｎ−１の基準点ｘ座標はそれぞれ、０，Ｄ１，Ｄ２，・・・Ｄｎ−１で表される。
【００３０】
実施の形態１と同様、本実施の形態のレーダ反射体の放射パターンは、放射角度による反射波の振幅の差が小さい。
【００３１】
（実施の形態３）
本実施の形態のレーダ反射体の基本構成は、実施の形態２のレーダ反射体の構成と同様であるが、各三面体コーナリフレクタの基準点ｘ座標の決定方法が異なる。
【００３２】
本実施の形態において、各三面体コーナリフレクタの基準点ｘ座標は、乱数により決定される。
【００３３】
図１１は、実施の形態３のレーダ反射体の放射パターンの一例を示す図である。この図において、横軸は、レーダ反射体からの反射波の放射角度を示し、縦軸は、その反射波の振幅の相対レベルを示す。この図は、本実施の形態の基本構成と基準点ｘ座標の決定方法とに従って７個の三面体コーナリフレクタが設けられたレーダ反射体のシミュレーション結果である。ここで、各三面体コーナリフレクタ距離は、０より大きく３０λ以下の範囲の一様乱数により決定される。上述の２個の点リフレクタを有するレーダ反射体の放射パターンと比較すると、実施の形態３のレーダ反射体の放射パターンは、振幅の低下が小さくなり、放射角度による振幅値の差が小さい。基準点ｘ座標の決定方法において、一様乱数の代わりに、正規乱数、指数乱数等を用いても良い。
【００３４】
（実施の形態４）
本実施の形態において、各三面体コーナリフレクタの基準点ｘ座標は、実施の形態２と同様に決定され、各三面体コーナリフレクタのサイズは、隣り合う三面体コーナリフレクタとの距離に基づいて決定される。
【００３５】
図１２は、実施の形態４のレーダ反射体の基本構成の一例を示す図である。本実施の形態のレーダ反射体は、ｎ個の三面体コーナリフレクタＣ０，Ｃ１，Ｃ２，・・・Ｃｎ−１を有する。本実施の形態の三面体コーナリフレクタの形状は、実施の形態２と同様の三面体コーナリフレクタである。各三面体コーナリフレクタのサイズは、隣り合う三面体コーナリフレクタと重ならない最大のサイズになるよう決定される。三面体コーナリフレクタＣ０，Ｃ１，Ｃ２，・・・Ｃｎ−１において、最も開口面から遠い頂点をそれぞれ基準点Ｇ０，Ｇ１，Ｇ２，・・・Ｇｎ−１とする。
【００３６】
実施の形態２と比較すると、本実施の形態は、三面体コーナリフレクタのサイズを大きくすることができ、ＲＣＳを大きくすることができる。
【００３７】
なお、各三面体コーナリフレクタの開口面が同一平面上に配置され、隣り合う三面体コーナリフレクタの開口が接するように、各三面体コーナリフレクタの位置及びサイズが決定されても良い。
【００３８】
なお、上述した各実施の形態を組み合わせても良い。
【００３９】
上述した各実施の形態によれば、レーダ反射体が三面体コーナリフレクタを有することでＲＣＳを拡大することができ、且つ、角度による反射強度の差を小さくすることができる。
【００４０】
上述した各実施の形態のレーダ反射体が、たとえば車などと比べてＲＣＳが低いターゲット（歩行者やバイクなど）に取り付けられることにより、レーダによる検知が容易になる。
【００４１】
上述した各実施の形態において、三角形を使用した三面体コーナリフレクタの代わりに、平面、円筒形、球面、二面、各面が四角形である三面体、各面が四分円形である三面体等を用いても良い。
【００４２】
本発明の反射装置は、上述の電磁波だけでなく、光、音波等の波動を反射する反射装置に適用することができる。
【００４３】
本発明は、その精神または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【００４４】
以上の実施の形態１〜４に関し、更に以下の付記を開示する。
（付記１）
到来波を反射する反射装置であって、
ｎ（ｎは３以上の整数）個のリフレクタを備え、
前記ｎ個のリフレクタのそれぞれに対してリフレクタの位置に関する所定の基準点が設けられ、且つｎ個の前記基準点の配置が直線上であり、且つｎ個の前記基準点の間隔が素数又は乱数に基づいた値である
反射装置。
（付記２）
前記ｎ個のリフレクタのうち特定リフレクタの基準点は、所定位置に設けられ、
前記所定位置と前記特定リフレクタ以外のリフレクタの基準点との距離のそれぞれは、前記所定距離とそれぞれ異なる素数とを乗じた値である、
付記１に記載の反射装置。
（付記３）
互いに隣接する前記リフレクタ間の距離のそれぞれは、所定距離とそれぞれ異なる素数とを乗じた値である、
付記１に記載の反射装置。
（付記４）
前記ｎ個のリフレクタの基準点の位置のそれぞれは、ｎ個の乱数値のそれぞれに対応する、
付記１に記載の反射装置。
（付記５）
前記リフレクタの大きさは、互いに隣接する前記リフレクタ同士が重ならない大きさである、
付記１に記載の反射装置。
（付記６）
全ての前記リフレクタは、コーナリフレクタである、
付記１に記載の反射装置。
（付記７）
全ての前記リフレクタは、互いに相似形である、
付記１に記載の反射装置。
（付記８）
全ての前記リフレクタは、三面体である、
付記７に記載の反射装置。
（付記９）
全ての前記リフレクタは、三角錐における４面のうち１面を除いた三面体である、
付記８に記載の反射装置。
（付記１０）
全ての前記リフレクタは、三角錐における４面のうち１面を除いた三面体の３箇所を平面で切り取った三面体である、
付記８に記載の反射装置。
（付記１１）
全ての前記リフレクタの形状と大きさは、同一である、
付記１に記載の反射装置。
【符号の説明】
【００４５】
Ａ０，Ａ１，Ａ２，Ｂ０，Ｂ１，Ｂ２，Ｃ０，Ｃ１，Ｃ２  三面体コーナリフレクタ
Ｅ０，Ｅ１，Ｅ２，Ｆ０，Ｆ１，Ｆ２，Ｇ０，Ｇ１，Ｇ２  基準点
【図１】
2010181213.tif 000003
【図２】
2010181213.tif 000004
【図３】
2010181213.tif 000005
【図４】
2010181213.tif 000006
【図５】
2010181213.tif 000007
【図６】
2010181213.tif 000008
【図７】
2010181213.tif 000009
【図８】
2010181213.tif 000010
【図９】
2010181213.tif 000011
【図１０】
2010181213.tif 000012
【図１１】
2010181213.tif 000013
【図１２】
2010181213.tif 000014